(57)【特許請求の範囲】
【請求項１】
上壁部によって上端が塞がれ、かつ、液体容器の口部に装着可能な円筒状のヘッド部に、噴射気流によって発生する負圧作用によって内部通路に吸引力を発生させる吸上げノズルが設けられ、
この吸上げノズルが、上記上壁部の上側に突出して、上記ヘッド部の外側で開口する液体噴出口を形成している上側部位と、上記上壁部の下側に突出することにより上記ヘッド部内に配備されて、上記液体容器の塗料中に挿入される吸上げチューブを接続可能な吸上げ通路接続口を形成している筒状の下側部位と、を具備していると共に、円筒状の上記ヘッド部が上記下側部位を間隔を隔てて取り囲んでなるホルダー、を備えたスプレーガンに用いられるスプレーガンアダプターであって、
液体容器の口部に装着される円筒状の容器取付け部と、この容器取付け部に設けられ、かつ、上記ヘッド部に挿入されて上記下側部位を間隔を隔てて取り囲む筒部と、上記容器取付け部と上記筒部とを仕切る隔壁部に設けられて筒状の上記下側部位に挿入される接続筒部とを有し、かつ、上記接続筒部が、上記吸上げ通路接続口に接続される液体出口及びこの液体出口に連通されて上記容器取付け部に装着された液体容器に貯留されている液体を吸い上げるための吸上げチューブが接続されるチューブ接続口とを備えてなるアダプター本体と、
上記接続筒部のチューブ接続口に接続される上記吸上げチューブと、
上記アダプター本体を上記ヘッド部に対して着脱するための着脱機構と、を有し、
上記着脱機構を介してアダプター本体をホルダーに装着することによって、上記筒部が上記ヘッド部に挿入され、かつ、上記接続筒部の液体出口が上記吸上げ通路接続口に接続されるように構成されていると共に、
上記ヘッド部に挿入された上記筒部の内部空間をそのヘッド部の内部空間から遮断する密閉手段を有し、この密閉手段が、上記筒部の上端縁により形成されて円筒状の上記ヘッド部の上端を塞いでいる上壁部の内面に当接する当たり縁部と、上記筒部に設けられて上記ヘッド部の内周面に当接する円環状のシール部とを有する、ことを特徴とするスプレーガンアダプター
【請求項２】
上記隔壁部に、上記筒部の内部空間と上記容器取付け部の内部空間とを連通させる空気孔が備わっている請求項１に記載したスプレーガンホルダー。
【請求項３】
上記シール部が、上記筒部と共に樹脂で一体成形された円環状の襞状部分でなる請求項１又は請求項２のいずれか１項に記載したスプレーガンホルダー。
【請求項４】
上記着脱機構が、上記容器取付け部と共に樹脂で一体成形されてその容器取付け部の両側へ延び出た板片状の一対の樹脂ばね部と、これらの樹脂ばね部のそれぞれの端部に長手方向中間部が連設された操作片部と、これらの操作片部の一端部に具備されて、上記ヘッド部の上面に係合することによって、上記ヘッド部に挿入された筒部の上記当たり縁部を上記上壁部の内面に押し付ける係合爪部と、上記操作片部の他端部に具備されて当該操作片部の上記一端部を開閉操作するための操作部と、を備える請求項１ないし請求項３のいずれか１項に記載したスプレーガンアダプター。
【請求項５】
上記容器取付け部の内周面に、上記液体容器の口部に設けられた雄ねじをねじ込み可能な雌ねじが形成されている請求項１ないし請求項４のいずれか１項に記載したスプレーガンアダプター。
【発明の詳細な説明】
【技術分野】
【０００１】
本発明は、スプレーガンアダプター、詳しくは、塗料や下塗り剤などを吹き付け塗装することに使用されるスプレーガンに適用されるアダプターに関する。
【背景技術】
【０００２】
図７は自動車ボディに塗料や下塗り剤などを手動操作で塗装するときに利用されているスプレーガンの使用状態での要部を示した部分断面図、図８は液体容器（後述する）を取り外した状態でのスプレーガンの要部を示した部分断面図である。
【０００３】
このスプレーガンは、圧縮気体を貯留しているボンベなどの気体容器（不図示）が装着されたホルダー１０を有する。このホルダー１０は円筒状のヘッド部１１を備えていて、そのヘッド部１１の上端を塞いでいる上壁部１２の中央に吸上げノズル２０が設けられている。この吸上げノズル２０は、上壁部１２の上側に突出する上側部位２０ａと上壁部１２の下側に突出することによりヘッド部１１内に配備された筒状の下側部位２０ｂとを具備している。そして、上側部位２０ａがヘッド部１１の外側で開口する液体噴出口２１を形成し、下側部位２０ｂが液体容器３０の塗料中に挿入される吸上げチューブ３２を接続可能な吸上げ通路接続口２２を形成していて、円筒状の上記ヘッド部１１が下側部位２０ｂを間隔を隔てて取り囲んでいる。また、ホルダー１０における吸上げノズル２０との対向箇所に気体噴出ノズル２３が設けられている。そして、上記気体容器に貯留されている圧縮気体が送気チューブ２４を通して気体噴出ノズル２３に供給されるようになっている。なお、気体噴出ノズル２３への気体の供給停止制御は、図示していない押しボタン型のアクチュエータの操作を介して行われるようになっている。以上の構成を備えるスプレーガンは、下記の先行例（特許文献１及び特許文献２）によっても開示されている。
【０００４】
このスプレーガンにおいて、アクチュエータの押しボタンを押し下げて気体容器から送気チューブ２４に気体を給送すると、気体噴出ノズル２３から気流が噴射され、その噴射気流によって発生する負圧作用によって吸上げノズル２０の内部通路に吸引力が発生する。したがって、図７のように、ヘッド部１１に塗料を貯留している液体容器３０の口部３１を装着して、吸上げ通路接続口２２に接続した吸上げチューブ３２を液体容器３０の塗料中に挿入しておくと、その吸上げチューブ３２を通して吸い上げられた塗料が、吸上げノズル２０の液体噴出口２１から吐出され、上記噴射気流に同伴して矢印Ｆのように前方へ向けて噴射される。
【０００５】
図７又は図８を参照して説明したスプレーガンは、ホルダー１０に装着されている気体容器をユーザーが手に持った状態で使用され、塗装作業中には、ヘッド部１１に装着されている液体容器３０が、激しく振り動かされたり、場合によっては倒立姿勢に倒されたりすることが多々起こり得る。そのため、液体容器３０に貯留されている塗料が、液体容器３０の口部３１を経てヘッド部１１における上壁部１２の内面１２ａ（図８参照）に付着たり、ヘッド部１１の内部に配備されている吸上げノズル２０の下側部位２０ｂの外面２２ａ（図８参照）などに付着したりする。さらに、液体容器３０をヘッド部１１から取り外した後では、塗料が吸上げチューブ３２の内外面に付着していたり、液体容器３０の口部３１などに付着している塗料が、ヘッド部１１の内面１１ａ（図８参照）などに付着していることもある。液体容器に下塗り剤を貯留している液体容器３０を用いた場合にも同様の事態が起こり得る。
【先行技術文献】
【特許文献】
【０００６】
【特許文献１】特開２００６−２６６１２号公報
【特許文献２】実用新案登録第３１２４４１７号公報
【発明の概要】
【発明が解決しようとする課題】
【０００７】
この種のスプレーガンを用いる塗装作業では、１つのスプレーガンで同じ色の塗装が行われるとは限らず、異なる色の塗料を貯留している２種類又は複数種類の液体容器３０を、ヘッド部１１に対して付け替えながら塗装作業が繰り返し行われることもある。
【０００８】
ところが、そのような繰り返し作業を行うと、先の塗装作業によって吸上げチューブ３２の内外面やヘッド部１１における上壁部１２の内面１２ａや吸上げノズル２０の下側部位２０ｂの外面２２ａなどに付着していた塗料が、作業中に、使用中の液体容器３０の中の異なる色の塗料に混ざって液体噴出口２１から噴射してしまうことがある。「色混ざり」である。このような「色混ざり」が起こると、塗装色が、作業初期に予定した塗料の色とは相違してしまうことになる、という問題があった。同様の問題は、先に下塗り剤（一般的には白色が多い）を塗装し、その後に有色の塗装を行った場合にも起こる。
【０００９】
そこで、上記のような「色混ざり」を回避するために、先に使用した液体容器３０をヘッド部１１から取り外した後に、次に使用する液体容器３０を装着するのに先だって、気体噴出ノズル２３から気体を噴射（空噴射）させて、上壁部１２の内面１２ａや吸上げノズル２０の下側部位２０ｂの外面２２ａなどに付着している塗料を液体噴出口２１から吹き飛ばす、という対策が講じられることがあるけれども、この対策を講じたとしても、上記した「色混ざり」が完全に回避されるものではない。
【００１０】
一方、同じ色の塗料又は下塗り剤には、その塗料又は下塗り剤に専用のホルダー１０を使用して「色混ざり」を回避する、という対策も考えられるけれども、この対策では、サイズが比較的大きなホルダー１０を幾つも使用することになり、そのことによって塗装コストが高くつき過ぎてしまうという問題がある。
【００１１】
本発明は以上の状況に鑑みてなされたものであり、上記したホルダーのヘッド部に液体容器を装着する際に用いられるアダプターを提供することにより、そのアダプターの作用によって上記した「色混ざり」を未然に防止することを目的としている。
【００１２】
また、本発明は、塗料又は下塗り剤に専用のホルダーを使用して「色混ざり」を回避するという上記したような対策に比べて、塗装コストを格段に安価に抑えることが可能なスプレーガンアダプターを提供することを目的としている。
【課題を解決するための手段】
【００１３】
本発明に係るスプレーガンアダプターは、上壁部によって上端が塞がれ、かつ、液体容器の口部に装着可能な円筒状のヘッド部に、噴射気流によって発生する負圧作用によって内部通路に吸引力を発生させる吸上げノズルが設けられ、この吸上げノズルが、上記上壁部の上側に突出して、上記ヘッド部の外側で開口する液体噴出口を形成している上側部位と、上記上壁部の下側に突出することにより上記ヘッド部内に配備されて、上記液体容器の塗料中に挿入される吸上げチューブを接続可能な吸上げ通路接続口を形成している筒状の下側部位と、を具備していると共に、円筒状の上記ヘッド部が上記下側部位を間隔を隔てて取り囲んでなるホルダー、を備えたスプレーガンに用いられる。
【００１４】
そして、このスプレーガンアダプターは、液体容器の口部に装着される円筒状の容器取付け部と、この容器取付け部に設けられ、かつ、上記ヘッド部に挿入されて上記下側部位を間隔を隔てて取り囲む筒部と、上記容器取付け部と上記筒部とを仕切る隔壁部に設けられて筒状の上記下側部位に挿入される接続筒部とを有し、かつ、上記接続筒部が、上記吸上げ通路接続口に接続される液体出口及びこの液体出口に連通されて上記容器取付け部に装着された液体容器に貯留されている液体を吸い上げるための吸上げチューブが接続されるチューブ接続口とを備えてなるアダプター本体と、上記接続筒部のチューブ接続口に接続される上記吸上げチューブと、上記アダプター本体を上記ヘッド部に対して着脱するための着脱機構と、を有し、上記着脱機構を介してアダプター本体をホルダーに装着することによって、上記筒部が上記ヘッド部に挿入され、かつ、上記接続筒部の液体出口が上記吸上げ通路接続口に接続されるように構成されていると共に、上記ヘッド部に挿入された上記筒部の内部空間をそのヘッド部の内部空間から遮断する密閉手段を有し、この密閉手段が、上記筒部の上端縁により形成されて円筒状の上記ヘッド部の上端を塞いでいる上壁部の内面に当接する当たり縁部と、上記筒部に設けられて上記ヘッド部の内周面に当接する円環状のシール部とを有する。
【００１５】
このように構成されているスプレーガンアダプター（アダプター）は、そのアダプター本体が着脱機構を介してホルダーのヘッド部に着脱される。そして、容器取付け部が装着された液体容器中の液体（たとえば塗料）に、接続筒部のチューブ接続口に接続した吸上げチューブを挿入しておくと、塗装作業中には、液体容器中の塗料が、吸上げチューブ、接続筒部の内部通路及び液体出口を経て吸上げノズルの液体噴出口から噴射される。したがって、塗装作業中に、塗料がヘッド部の内面や吸上げノズルにおける下側部位の外面に付着することはない。また、筒部の内部空間が、隔壁部によって容器取付け部の内部空間から仕切られているので、塗装作業中に液体容器が、激しく振り動かされたり、倒立姿勢に倒されたりしたとしても、液体容器中の塗料が筒部の内部空間に入ってヘッド部の内面に付着するという事態が起こらない。したがって、液体容器と吸上げチューブとをアダプター本体に装着したままアダプターと共にヘッド部から取り外した後、新たなアダプター本体に装着された別の液体容器と別の吸上げチューブとをその新たなアダプターを介してヘッド部に装着して塗装作業を行うと、上記した「色混ざり」を生じるようなことはなくなる。
【００１６】
また、アダプターはホルダーに比べてそのサイズを小さくすることが容易に可能であるので、液体容器をアダプター本体に装着したままホルダーのヘッド部に付け替えるようにしても、塗装コストがそれほど高くつくという事態は起こらない。
【００１７】
本発明では、上記ヘッド部に挿入された上記筒部の内部空間をそのヘッド部の内部空間から遮断する密閉手段を有していることにより、液体容器内の塗料が、ヘッド部の内面や吸上げノズルにおける下側部位の外面などに付着することがいっそう抑制される。
【００１８】
さらに、上記密閉手段が、上記筒部の上端縁により形成されて円筒状の上記ヘッド部の上端を塞いでいる上壁部の内面に当接する当たり縁部と、上記筒部に設けられて上記ヘッド部の内周面に当接する円環状のシール部とを有する、という構成により、筒部の内部空間が、当たり縁部及びシール部によってヘッド部の内部空間から確実に遮断されるようになり、筒部の内部空間から液体がヘッド部の内部空間に漏れるという事態が抑制され、上記の「色混ざり」がいっそう確実に防止される。
【００１９】
本発明では、上記隔壁部に、上記筒部の内部空間と上記容器取付け部の内部空間とを連通させる空気孔が備わっていることが望ましい。この構成を採用すると、着脱機構によってアダプター本体をヘッド部に装着したときに、筒部の内部空間に空気が閉じこめられることがなくなって、上記の当たり縁部やシール部による遮断作用が向上する。
【００２０】
本発明では、上記シール部が、上記筒部と共に樹脂で一体成形された円環状の襞状部分でなる、という構成を採用することが望ましい。これによると、シール部を筒部とは別の単独部品にする場合に比べてアダプターの製作コストが安くつき、そのことが、塗装コストを安く抑えることに役立つ。
【００２１】
本発明では、上記着脱機構が、上記容器取付け部と共に樹脂で一体成形されてその容器取付け部の両側へ延び出た板片状の一対の樹脂ばね部と、これらの樹脂ばね部のそれぞれの端部に長手方向中間部が連設された操作片部と、これらの操作片部の一端部に具備されて、上記ヘッド部の上面に係合することによって、上記ヘッド部に挿入された筒部の上記当たり縁部を上記上壁部の内面に押し付ける係合爪部と、上記操作片部の他端部に具備されて当該操作片部の上記一端部を開閉操作するための操作部と、を備える、という構成を採用することが可能である。この構成の着脱機構は一対の操作片部の操作部を指で掴んだまま、係合爪部を具備している操作片部の一端部を開閉させることが可能であるので、このことを利用すると、アダプターをヘッド部に装着したりヘッド部から取り外したりする操作を確実にかつ迅速に行うことが可能になる。また、ヘッド部の上面に係合した操作片部の係合爪部が、筒部の当たり縁部を上壁部の内面に押し付ける作用を発揮するので、当たり縁部による遮断作用を確実に発揮させることが可能になる。
【００２２】
本発明では、上記容器取付け部の内周面に、上記液体容器の口部に設けられた雄ねじをねじ込み可能な雌ねじが形成されている、という構成を採用することが可能である。これによると、液体容器の口部を容器取付け部に確実に装着することが可能になるだけでなく、図８に示したような液体容器、すなわち、口部に雄ねじを備えた液体容器をそのまま容器取付け部に装着することが可能になる、という利点がある。
【発明の効果】
【００２３】
本発明によれば、冒頭で説明した「色混ざり」を未然に防止することが可能になる。また、塗料又は下塗り剤に専用のホルダーを使用して「色混ざり」を回避する場合に比べて、塗装コストを格段に安価に抑えることが可能になる。
【図面の簡単な説明】
【００２４】
【図１】本考案の実施形態に係るアダプターをホルダーに装着した状態の概略斜視図である。
【図２】アダプターの概略斜視図である。
【図３】アダプターの縦断正面図である。
【図４】アダプター使用状態を示した部分縦断側面図である。
【図５】図４のＶ部拡大図である。
【図６】操作片部の作用を示した説明図である。
【図７】スプレーガンの使用状態での要部を示した部分断面図である。
【図８】液体容器を取り外した状態でのスプレーガンの要部を示した部分断面図である。
【発明を実施するための形態】
【００２５】
図１は本考案の実施形態に係るアダプターＡをスプレーガンにおけるホルダー１０のヘッド部１１に装着した状態の概略斜視図である。
【００２６】
図１のように、ホルダー１０の後部に気体容器３００が取外し可能に装着され、その装着箇所の上方に、アクチュエータの押しボタン１３が配備されている。また、ホルダー１０の前部にヘッド部１１が備わり、そのヘッド部１１に吸上げノズル２０が設けられ、その吸上げノズル２０の頂部との対向箇所に気体噴出ノズル２３が備わっている。ヘッド部１１や吸上げノズル２０は図７又は図８を参照して説明したものと同様の構成を備えている。
【００２７】
図２はアダプターＡの概略斜視図、図３はアダプターＡの縦断正面図である。
【００２８】
このアダプターＡは、アダプター本体１００と着脱機構２００と有する。アダプター本体１００は、内周面に雌ねじ５１が形成された円筒状の容器取付け部５０と、この容器取付け部５０からその上方に向けて同心状に延出された筒部６０とを有していると共に、筒部６０が、隔壁部６１によって容器取付け部５０から仕切られている。また、筒部６０は、その外周径が、図１に示したホルダー１０の円筒状のヘッド部１１の内周径よりも少し短くなっていて、ヘッド部１１に挿入可能である。そして、隔壁部６１の中央に接続筒部６２が立ち上げられていて、この接続筒部６２の内部通路の上端開口が液体出口６３として形成されているのに対して、内部通路の下端部が、上記液体出口６３に連通するチューブ接続口６４として形成されている。着脱機構２００は、円筒状に形成されている容器取付け部５０の両側から斜め下向きに延び出た板状片でなる一対の樹脂ばね部７０，７０と、それらの樹脂ばね部７０，７０の端部に連接された縦長の操作片部７１，７１と備えている。操作片部７１は長手方向中間部が樹脂ばね部７０，７０の端部に連接されていて、その一端部に内向きに突き出た係合爪部７２，７２が備わり、その他端部は、一対の係合爪部７２，７２を開閉するための操作部７３，７３とされている。以上の構成を備えたアダプター本体１００と着脱機構２００とは樹脂で一体成形されている。
【００２９】
図４はアダプター１００の使用状態を示した部分縦断側面図、図５は図４のＶ部拡大図、図６は操作片部７１の作用を示した説明図である。
【００３０】
アダプター１００をヘッド部１１に装着するときには、図６のように、筒部６０を円筒状のヘッド部１１の内側に挿入することと、接続筒部６２をヘッド部１１の吸上げノズル２０の吸上げ通路接続口２２に挿入して液体出口６３を吸上げノズル２０の液体噴出口２１に接続することと、一対の操作片部７１，７１の係合爪部７２，７２をヘッド部１１の上壁部１２にその両側から係合させることと、を行う。この装着操作は、一対の操作片部７１，７１の操作部７３，７３を指で掴んだ状態でアダプター１００を持ち上げる動作を行うことなどにより行うことができる。また、２つの係合爪部７２，７２をヘッド部１１の下端からその外面を滑らせて持ち上げることによっても行うことができる。この装着操作では、接続筒部６２をヘッド部１１の吸上げノズル２０の吸上げ通路接続口２２に挿入すると、筒部６０が自動的にヘッド部１１の内側に挿入される。上記のようにしてアダプター１００をヘッド部１１に装着すると、一対の係合爪部７２，７２と筒部６０とによってヘッド部１１の上壁部１２が弾圧挟持されるので、アダプター１００がヘッド部１１に固定される。
【００３１】
図６のようにアダプター１００をヘッド部１１に装着した後、図１に示したアクチュエータの押しボタン１３を押し下げて気体容器３００から送気チューブ２４に気体を給送すると、図４に示した気体噴出ノズル２３から気流が噴射され、その噴射気流によって発生する負圧作用によって吸上げノズル２０の内部通路に吸引力が発生する。したがって、図４又は図５のように、アダプター１００の容器取付け部５０の雌ねじ５１に液体容器３０の口部３１の雄ねじ３３をねじ込むことによって容器取付け部５０に液体容器３０を装着し、かつ、アダプター１００における接続筒部６２のチューブ接続口６４に接続した吸上げチューブ３５を液体容器３０の塗料中に挿入しておくと、その吸上げチューブ３５を通して吸い上げられた塗料が、吸上げノズル２０の液体噴出口２１から吐出され、上記噴射気流に同伴して図４の矢印Ｆのように前方へ向けて噴射される。
【００３２】
上記のようにして塗装作業を行った場合において、塗装作業中には、液体容器３０の塗料が、吸上げチューブ３５、接続筒部６２の内部通路及び液体出口６３を経て吸上げノズル２０の液体噴出口２１から噴射される。したがって、塗装作業中に、塗料がヘッド部１１の内面や吸上げノズル２０における下側部位２０ｂの外面に付着することはない。また、筒部６０の内部空間が、隔壁部６１によって容器取付け部５０の内部空間から仕切られているので、塗装作業中に、液体容器３０が激しく振り動かされたり倒立姿勢に倒されたりしたとしても、液体容器中の塗料が筒部６０の内部空間に入ってヘッド部１１の内面や上壁部１２の内面に付着するという事態が起こらない。したがって、液体容器３０と吸上げチューブ３５とをアダプター本体１００に装着したまま、それらをアダプターＡと共にヘッド部１１から取り外した後、新たなアダプター本体１００に装着された別の液体容器３０と別の吸上げチューブ３５とをその新たなアダプターＡを介してヘッド部１１に装着して塗装作業を行うと、冒頭で説明したような「色混ざり」を生じるようなことはなくなる。
【００３３】
次に、実施形態のアダプターＡは、ヘッド部１１に挿入された筒部６０の内部空間をそのヘッド部１１の内部空間から遮断する密閉手段８０を備えている。実施形態のアダプターＡにおいては、この密閉手段８０が、筒部６０の上端縁により形成された当たり縁部８１と、筒部６０と共に樹脂で一体成形された円環状の襞状部分でなるシール部８２と、を有する。図４〜図６のように、当たり縁部８１は、ヘッド部１１の上壁部１２の内面に弾圧状態で当接し、シール部８２は、円筒状のヘッド部１１の内周面に当接する。
【００３４】
このように密閉手段８０を設けておくと、液体容器３０内の塗料が筒部６０の内部空間に入ることが確実に防止されるので、ヘッド部１１の内面や吸上げノズル２０における下側部位２０ｂの外面などに付着するという事態が生じず、上記の「色混ざり」がいっそう確実に防止される。また、ヘッド部１１の内側にシール部８２が密着状態で嵌入していることにより、密閉度が向上して上記「色混ざり」の防止作用が向上することは勿論、容器取付け部５０をヘッド部１１に装着した状態での容器取付け部５０の前後左右への振れが抑制されるために、塗装作業中でのスプレーガンの取扱い性も向上するという利点がある。さらに、シール部８２を筒部６０とは別の単独部品（たとえばＯリング）にする場合に比べてアダプターの製作コストが安くつき、そのことが、塗装コストを安く抑えることに役立つ。
【００３５】
この実施形態のように、筒部６０に密閉手段８０を具備させるときには、図３又は図４〜図６のように、隔壁部６１に、筒部６０の内部空間と容器取付け部５０の内部空間とを連通させる空気孔６５を形成しておくことが望ましい。こうしておくと、着脱機構２００によってアダプター本体１００をヘッド部１１に装着したときに、筒部６０の内部空間に空気が閉じこめられることがなくなって、密閉手段８０を構成している当たり縁部８１やシール部８２による遮断作用が向上するという利点がある。
【００３６】
この実施形態では、筒部６０を円筒状のヘッド部１１の内側に挿入するだけでアダプター１００がヘッド部１１に装着されるように構成されているけれども、この点は、たとえば、筒部６０の外周面に雄ねじを具備させ、その雄ねじをヘッド部１１の内周面に具備させた雌ねじにねじ合わせることによってアダプター１００がヘッド部１１に装着されるように構成することも可能である。なお、上記雌ねじには、図７に示した液体容器３０の口部３１に備わっている雄ねじをねじ合わせるための雌ねじを転用することができる。この構成を採用しておくと、図２に示したアダプター１００の樹脂ばね部７０や操作片部７１などを省略することが可能になる。
【符号の説明】
【００３７】
Ａ  スプレーガンアダプター（アダプター）
１０  ホルダー
１１  ヘッド部
２０  吸上げノズル
２０ａ  上側部材
２０ｂ  下側部材
２１  液体噴出口
２２  吸上げ通路接続口
３０  液体容器
３１  液体容器の口部
３３  雄ねじ
５０  容器取付け部
５１  雌ねじ
６０  筒部
６１  隔壁部
６２  接続筒部
６３  液体出口
６４  チューブ接続口
６５  空気孔
７０  樹脂ばね部
７１  操作片部
７２  係合爪部
７３  操作部
８０  密閉手段
８１  当たり縁部
８２  シール部
１００  アダプター本体
２００  着脱機構
【図１】
0006484032.tif 000002
【図２】
0006484032.tif 000003
【図３】
0006484032.tif 000004
【図４】
0006484032.tif 000005
【図５】
0006484032.tif 000006
【図６】
0006484032.tif 000007
【図７】
0006484032.tif 000008
【図８】
0006484032.tif 000009